(57)【特許請求の範囲】
【請求項１】
ランプシェードを含み、
前記ランプシェードの中にはガイドスライド空間が設置され、前記ガイドスライド空間の中には測定システムが設置され、前記測定システムが視程をリアルタイムに測定でき、前記ランプシェードの下端には箱体が回転できるように連結され、前記箱体の中には照明システムが設置され、前記照明システムの中には照明灯が左右対称的に設置され、前記照明灯の光源が異なっており、左側の前記照明灯がＬＥＤライトであり、右側の前記照明灯が高圧ナトリウムランプであり、二つの前記照明灯が前記測定システムに通電できるように連結され、
前記箱体の下端には円型板が回転できるように連結され、前記円型板の中には上方に開口した半円型溝が形成され、前記半円型溝の中には前記箱体の下端に固定的に連結された位置制限ブロックがスライドできるように装着され、前記円型板が前記箱体の回転を制限でき、前記箱体を零から百八十度の範囲で回転させ、
前記円型板の下端には台座が固定的に連結され、前記台座の中には減速空間が設置され、前記減速空間の中には伝動システムが設置され、前記伝動システムの上端には前記照明システムが設置され、前記伝動システムが前記照明システムを駆動でき、
前記測定システムは前記ランプシェードの上端に固定的に連結された視程センサーを含み、前記視程センサーが視程をリアルタイムに測定でき、前記視程センサーが信号を電磁継電器に送り、前記電磁継電器が前記視程センサーの下端に固定的に連結され、前記視程センサーは前記電磁継電器と通電できるように連結され、
前記電磁継電器の下端が前記ガイドスライド空間の中に延在し、前記ガイドスライド空間の中には鉄ブロックがスライドできるように設置され、前記電磁継電器は前記鉄ブロックを吸引して左方へスライドさせることができ、前記ガイドスライド空間の左側内壁には固定ブロックが二つ固定的に連結され、前記固定ブロックの中には右方に開口したガイド溝が形成され、前記ガイド溝の左側内壁には圧縮ばねが固定的に連結され、前記圧縮ばねの右側にはガイドブロックが固定的に連結され、前記ガイドブロックが前記ガイド溝の中で左右にスライドでき、
前記ガイドブロックが左方へスライドする時、前記圧縮ばねが前記ガイドブロックに圧縮され、弾力を生み出し、前記ガイドブロックの上下両端の左側には導電ブロックが対称的に固定的に連結され、前記ガイド溝の上下両側の内壁には導電シートが対称的に固定的に連結され、前記導電ブロックが前記導電シートと接触した時、前記照明灯がつけられ、
前記鉄ブロックの右側には固定板が設置され、前記固定板の上端が前記ガイドスライド空間の内壁に固定的に連結され、前記固定板と前記鉄ブロックの間には引張ばねが固定的に連結され、
前記伝動システムは前記減速空間の下側内壁の中に固定的に設置されたモータを含み、上側の前記導電ブロックが前記導電シートと接触した時に前記モータが作動し、前記モータの上端にはウォームが動力が伝達できるように連結され、前記ウォームの上端が前記照明システムに噛み合うように連結され、前記減速空間の中には主動小型歯車が回転できるように設置され、前記主動小型歯車が前記ウォームに固定的に連結され、前記主動小型歯車の左端には従動大型歯車が噛み合うように設置され、前記従動大型歯車の中には従動回転軸が固定的に連結され、前記従動回転軸の上下両端が前記減速空間の上下両側の内壁に回転できるように連結され、
前記従動大型歯車の上側には従動小型歯車が回転できるように設置され、前記従動小型歯車が前記従動回転軸に固定的に連結され、前記従動小型歯車の右端には連結歯車が噛み合うように連結され、前記連結歯車の中には緩速軸が固定的に連結され、前記緩速軸の上端が前記箱体に固定的に連結され、前記緩速軸と前記円型板とが回転できるように連結され、前記緩速軸と前記ウォームとが回転できるように連結され、
前記照明システムは前記箱体の中に設置された空き空間を含み、前記ウォームの上端が前記空き空間の中に延在し、且つ前記ウォームと前記箱体とが回転できるように連結され、前記空き空間の中にはウォームホイールが回転できるように設置され、前記ウォームホイールの左端が前記ウォームに噛み合われ、
前記ウォームホイールの中には伝動軸が固定的に設置され、前記伝動軸の下端が前記空き空間の下側内壁に回転できるように連結され、前記伝動軸の上端が同期空間に延在し、前記同期空間が前記箱体の中に設置され、前記伝動軸の上端が前記同期空間の上側内壁に回転できるように連結され、前記同期空間の中には左右対称のプーリが回転できるように設置され、右側の前記プーリが前記伝動軸に固定的に連結され、左側の前記プーリの中には従動軸が回転できるように設置され、
前記従動軸の下端が前記プーリに固定的に連結され、前記従動軸の上端が前記同期空間の上側内壁に回転できるように連結され、両側の前記プーリの間には伝送ベルトが連結され、右側の前記プーリが前記伝送ベルトによって左側の前記プーリを回転連動させ、左右両側の前記プーリを同期回転させ、前記伝送ベルトの後側には対称歯車が左右対称的に、且つ回転できるように設置され、左右両側の前記対称歯車がそれぞれ前記従動軸と前記伝動軸に固定的に連結され、
前記箱体の中には収納空間が左右対称的に設置され、前記収納空間の中には中心軸線から離れた開口が設置され、前記収納空間の中には上下にしかスライドできないラックが設置され、両側の前記対称歯車において対称中心から離れた一端がそれぞれ両側の前記ラックに噛み合われており、前記ラックの下端にはスライダが固定的に連結され、前記収納空間の中にはガイドスライド溝が前後対称的に形成され、前記ガイドスライド溝の開口が中心軸線に向き、前記スライダが前記ガイドスライド溝の中で上下にスライドでき、前記箱体の下側内壁にはスタンドが固定的に連結され、前記スタンドの上端にはライトロッドがヒンジで連結され、二つの前記照明灯がそれぞれ両側の前記ライトロッドに固定的に連結され、前記ライトロッドの下端と前記箱体の下側内壁との間には復帰ばねが固定的に連結され、
始めに、視程が良好であり、前記電磁継電器の磁力が弱く、前記引張ばねと前記圧縮ばねとはいずれも自由状態にあり、左側の前記照明灯がＬＥＤライトであり、右側の前記照明灯が高圧ナトリウムランプであり、両側の前記照明灯がいずれも消えており、左側の前記ラックと前記スライダとは下限の位置にあり、左側の前記ライトロッドが伸びた状態にあり、左側の前記復帰ばねが圧縮状態にあり、右側の前記ラックと前記スライダとは上限の位置にあり、右側の前記ライトロッドが収縮状態にあり、右側の前記復帰ばねが自由状態にあり、前記箱体の下端が右限の位置にあり、前記モータが作動していなく、
前記視程センサーが視程の悪化を発見した時、前記視程センサーが信号をを前記電磁継電器に送り、前記電磁継電器の磁力が強くなり、前記鉄ブロックを吸引して左方へスライドさせ、更に下側の前記ガイドブロックを押して左方へスライドさせ、下側の前記導電ブロックと前記導電シートとが接触した時、信号を左側の前記照明灯に送って左側の前記照明灯をつけ、前記鉄ブロックが引き続き左方へスライドし、前記鉄ブロックが上側の前記ガイドブロックを押して左方へスライドさせ、上側の前記導電ブロックを前記導電シートと接触させ、この時に下側の前記導電ブロックと前記導電シートとが接触しなくなり、左側の前記照明灯が消え、右側の前記照明灯が信号を受けてつけられ、そして前記モータを始動し、前記モータが前記ウォームを回転連動させ、更に前記主動小型歯車を回転連動させ、そして前記従動大型歯車が駆動されて回転し、前記従動回転軸が駆動されて回転し、前記従動小型歯車が駆動されて回転し、前記連結歯車が駆動されて回転し、前記緩速軸が駆動されて回転し、前記箱体が駆動されて回転し、前記ウォームが回転することで前記ウォームホイールを回転連動させ、更に前記伝動軸を回転連動させ、右側の前記プーリと右側の前記対称歯車とが駆動されて回転し、前記伝送ベルトを回転連動させ、前記伝送ベルトが左側の前記プーリと右側の前記プーリとを連動させて同期に回転させ、そして前記従動軸を回転連動させ、更に左側の前記対称歯車を回転連動させ、左右両側の前記対称歯車が同じ方向へ同期回転し、左側の前記対称歯車が左側の前記ラックを連動させて上方へスライドさせ、更に左側の前記スライダを連動させて上方へスライドさせ、左側の前記復帰ばねが左側の前記ライトロッドを押し動かして上方へ移動させ、すなわち左側の前記ライトロッドは内側へ収縮し、右側の前記対称歯車が右側の前記ラックを連動させて下方へスライドさせ、更に右側の前記スライダを連動させて下方へスライドさせ、右側の前記ライトロッドが押されて外方へ伸び、右側の前記復帰ばねが圧縮され、前記箱体の下端が前記半円型溝の中の右限位置から左限位置まで回転する時、前記モータが止まり、この時に初期位置にある右側の前記照明灯が左側まで回転し、初期位置にある左側の前記照明灯が右側まで回転し、
前記視程センサーが視程の良好を発見した時、前記視程センサーが信号をを前記電磁継電器に送り、前記電磁継電器の磁力が弱くなり、前記引張ばねが前記鉄ブロックを引いて初期位置に戻し、前記圧縮ばねが前記ガイドブロックを押して初期位置に戻し、前記箱体が前記半円型溝の右限位置に回転し、両側の前記ライトロッドが初期位置に戻り、両側の前記照明灯がいずれも消え、前記モータが止まることを特徴とする視程の変化に基づく交通照明システム。
【発明の詳細な説明】
【技術分野】
【０００１】
本願発明は照明分野を取り上げて、具体的には視程の変化に基づく交通照明システムである。
【背景技術】
【０００２】
道路の交通照明システムにおいて、高圧ナトリウムランプがよく光源として使用され、近年、科学の発展につれ、高効率と省エネの特徴があるため、ＬＥＤが段々と道路上の一部の高圧ナトリウムランプに取って代わり利用されつつ、また、ＬＥＤの寿命も高圧ナトリウムランプより長い。しかし、ＬＥＤライトの透過性が高圧ナトリウムランプの透過性より低く、視程障害がよく起こる雨と霧の天気の時に十分の照明強度を提供できず、交通事故が起こりやすい。
【先行技術文献】
【特許文献】
【０００３】
【特許文献１】中国特許出願公開第１０７５２５０００号明細書
【発明の概要】
【発明が解決しようとする課題】
【０００４】
技術問題：
ＬＥＤライトの透過性が低いため、雨と霧の天気の時に十分の照明強度を提供できなく、安全性において比較的に高いリスクが潜んでいる。
【課題を解決するための手段】
【０００５】
上記の問題を解決するために、本例は視程の変化に基づく交通照明システムを設計し、本願発明に記載した視程の変化に基づく交通照明システムは、ランプシェードを含み、前記ランプシェードの中にはガイドスライド空間が設置され、前記ガイドスライド空間の中には測定システムが設置され、前記測定システムが視程をリアルタイムに測定でき、前記ランプシェードの下端には箱体が回転できるように連結され、前記箱体の中には照明システムが設置され、前記照明システムの中には照明灯が左右対称的に設置され、前記照明灯の光源が異なっており、左側の前記照明灯がＬＥＤライトであり、右側の前記照明灯が高圧ナトリウムランプであり、二つの前記照明灯が前記測定システムに通電できるように連結され、視程良好の時、前記測定システムが左側の前記照明灯をつけ、視程不良の時、前記測定システムが左側の前記照明灯を消し、且つ右側の前記照明灯をつけ、前記箱体の下端には円型板が回転できるように連結され、前記円型板の中には上方に開口した半円型溝が形成され、前記半円型溝の中には前記箱体の下端に固定的に連結された位置制限ブロックがスライドできるように装着され、前記円型板が前記箱体の回転を制限でき、前記箱体を零から百八十度の範囲で回転させ、前記円型板の下端には台座が固定的に連結され、前記台座の中には減速空間が設置され、前記減速空間の中には伝動システムが設置され、前記伝動システムの上端には前記照明システムが設置され、前記伝動システムが前記照明システムを駆動できる。
【０００６】
有益的には、前記測定システムは前記ランプシェードの上端に固定的に連結された視程センサーを含み、前記視程センサーが視程をリアルタイムに測定でき、前記視程センサーが信号を電磁継電器に送り、前記電磁継電器が前記視程センサーの下端に固定的に連結され、前記視程センサーは前記電磁継電器と通電できるように連結され、前記電磁継電器の下端が前記ガイドスライド空間の中に延在し、前記ガイドスライド空間の中には鉄ブロックがスライドできるように設置され、前記電磁継電器は前記鉄ブロックを吸引して左方へスライドさせることができ、前記ガイドスライド空間の左側内壁には固定ブロックが二つ固定的に連結され、前記固定ブロックの中には右方に開口したガイド溝が形成され、前記ガイド溝の左側内壁には圧縮ばねが固定的に連結され、前記圧縮ばねの右側にはガイドブロックが固定的に連結され、前記ガイドブロックが前記ガイド溝の中で左右にスライドでき、前記ガイドブロックが左方へスライドする時、前記圧縮ばねが前記ガイドブロックに圧縮され、弾力を生み出し、前記ガイドブロックの上下両端の左側には導電ブロックが対称的に固定的に連結され、前記ガイド溝の上下両側の内壁には導電シートが対称的に固定的に連結され、前記導電ブロックが前記導電シートと接触した時、前記照明灯がつけられ、前記視程センサーが視程の悪化を発見した時、前記電磁継電器の磁力は強くなり、前記視程センサーが視程の好転を発見した時、前記電磁継電器の磁力は弱くなり、前記電磁継電器の磁力が強くなる時、前記鉄ブロックを吸引して左方へスライドさせ、更に下側の前記ガイドブロックを押して左方へスライドさせ、更に下側の前記導電ブロックを前記導電シートと接触させ、この時に左側の前記照明灯がつけられ、前記鉄ブロックが引き続き左方へスライドし、上側の前記ガイドブロックを押して左方へスライドさせ、更に上側の前記導電ブロックを前記導電シートと接触させ、この時に右側の前記照明灯がつけられ、同時に下側の前記導電ブロックと前記導電シートとが接触しなくなり、左側の前記照明灯が消える。
【０００７】
好ましくは、前記鉄ブロックの右側には固定板が設置され、前記固定板の上端が前記ガイドスライド空間の内壁に固定的に連結され、前記固定板と前記鉄ブロックの間には引張ばねが固定的に連結され、前記電磁継電器の磁力が強くなる時、前記鉄ブロックを吸引して左方へスライドさせ、前記引張ばねが引っ張られて弾力を生み出し、前記電磁継電器の磁力が弱くなる時、前記引張ばねが前記鉄ブロックを引き動かして右方へスライドさせ、前記圧縮ばねは前記ガイドブロックを押し動かして右方へスライドさせることができる。
【０００８】
有益的には、前記伝動システムは前記減速空間の下側内壁の中に固定的に設置されたモータを含み、上側の前記導電ブロックが前記導電シートと接触した時に前記モータが作動し、前記モータの上端にはウォームが動力が伝達できるように連結され、前記ウォームの上端が前記照明システムに噛み合うように連結され、前記減速空間の中には主動小型歯車が回転できるように設置され、前記主動小型歯車が前記ウォームに固定的に連結され、前記主動小型歯車の左端には従動大型歯車が噛み合うように設置され、前記従動大型歯車の中には従動回転軸が固定的に連結され、前記従動回転軸の上下両端が前記減速空間の上下両側の内壁に回転できるように連結され、前記従動大型歯車の上側には従動小型歯車が回転できるように設置され、前記従動小型歯車が前記従動回転軸に固定的に連結され、前記従動小型歯車の右端には連結歯車が噛み合うように連結され、前記連結歯車の中には緩速軸が固定的に連結され、前記緩速軸の上端が前記箱体に固定的に連結され、前記緩速軸と前記円型板とが回転できるように連結され、前記緩速軸と前記ウォームとが回転できるように連結され、前記測定システムの中の上側の前記導電ブロックが前記導電シートと接触した時、前記モータが作動し、前記ウォームを回転連動させ、更に前記照明システムを駆動し、前記主動小型歯車を回転連動させ、そして前記従動大型歯車が駆動されて回転し、前記従動回転軸が駆動されて回転し、前記従動小型歯車が駆動されて回転し、前記連結歯車が駆動されて回転し、前記緩速軸が駆動されて回転し、前記箱体が駆動されて回転し、前記箱体が百八十度回転し、すなわち前記箱体が前記半円型溝の右端から左端まで回転して極限位置に至り、この時に前記モータが止まり、前記測定システムの中の上側の前記導電ブロックと前記導電シートとが接触しなくなる時、前記モータが逆回転し、前記箱体が百八十度回転し、すなわち前記箱体が前記半円型溝の左端から右端まで回転して戻り、この時に前記モータが止まる。
【０００９】
有益的には、前記照明システムは前記箱体の中に設置された空き空間を含み、前記ウォームの上端が前記空き空間の中に延在し、且つ前記ウォームと前記箱体とが回転できるように連結され、前記空き空間の中にはウォームホイールが回転できるように設置され、前記ウォームホイールの左端が前記ウォームに噛み合われ、前記ウォームホイールの中には伝動軸が固定的に設置され、前記伝動軸の下端が前記空き空間の下側内壁に回転できるように連結され、前記伝動軸の上端が同期空間に延在し、前記同期空間が前記箱体の中に設置され、前記伝動軸の上端が前記同期空間の上側内壁に回転できるように連結され、前記同期空間の中には左右対称のプーリが回転できるように設置され、右側の前記プーリが前記伝動軸に固定的に連結され、左側の前記プーリの中には従動軸が回転できるように設置され、前記従動軸の下端が前記プーリに固定的に連結され、前記従動軸の上端が前記同期空間の上側内壁に回転できるように連結され、両側の前記プーリの間には伝送ベルトが連結され、右側の前記プーリが前記伝送ベルトによって左側の前記プーリを回転連動させ、左右両側の前記プーリを同期回転させ、前記伝送ベルトの後側には対称歯車が左右対称的に、且つ回転できるように設置され、左右両側の前記対称歯車がそれぞれ前記従動軸と前記伝動軸に固定的に連結され、前記箱体の中には収納空間が左右対称的に設置され、前記収納空間の中には中心軸線から離れた開口が設置され、前記収納空間の中には上下にしかスライドできないラックが設置され、両側の前記対称歯車において対称中心から離れた一端がそれぞれ両側の前記ラックに噛み合われており、前記ラックの下端にはスライダが固定的に連結され、前記収納空間の中にはガイドスライド溝が前後対称的に形成され、前記ガイドスライド溝の開口が中心軸線に向き、前記スライダが前記ガイドスライド溝の中で上下にスライドでき、前記箱体の下側内壁にはスタンドが固定的に連結され、前記スタンドの上端にはライトロッドがヒンジで連結され、二つの前記照明灯がそれぞれ両側の前記ライトロッドに固定的に連結され、前記ライトロッドの下端と前記箱体の下側内壁との間には復帰ばねが固定的に連結され、前記ウォームが回転する時、前記ウォームホイールが駆動されて回転し、右側の前記プーリと右側の前記対称歯車とが駆動されて回転し、右側の前記ラックが駆動されてスライドし、右側の前記スライダが駆動されてスライドし、右側の前記プーリが前記伝送ベルトを回転連動させ、更に前記左側の前記プーリを回転連動させ、そして前記従動軸を回転連動させ、左側の前記対称歯車を回転連動させ、左側の前記ラックを連動させてスライドさせ、左側の前記スライダを連動させてスライドさせ、前記スライダが下方へスライドする時、前記ライトロッドが下方へ押され、そして前記ライトロッドが外方へ伸び、前記復帰ばねが圧縮されて弾力を生み出し、前記スライダが上方へスライドして前記ライトロッドから離脱する時、前記復帰ばねは前記ライトロッドを押して内側へ収縮させることができ、前記ライトロッドの伸びることと収縮することを保証できる
【発明の効果】
【００１０】
本願発明の有益効果は：本願発明は視程を測定することでＬＥＤライトと高圧ナトリウムランプとの取り替えを行い、視程良好の日にＬＥＤライトだけが照明に使用され、エネルギーの消耗を減らし、雨と霧などの視程不良の日になると高圧ナトリウムランプで照明し、照明の透過性を上げられ、所要の照明強度を保証する。
【図面の簡単な説明】
【００１１】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の視程の変化に基づく交通照明システムの全体構成模式図
【図２】図２は図１のＡの拡大模式図
【図３】図３は図１のＢ―Ｂ方向からの構成模式図
【図４】図４は図１のＣ―Ｃ方向からの構成模式図
【図５】図５は図１のＤ―Ｄ方向からの構成模式図
【図６】図６は図１のＥの拡大模式図
【図７】図７は図１のＦの拡大模式図
【図８】図８は図７のＧ―Ｇ方向からの構成模式図
【発明を実施するための形態】
【００１３】
本願発明は視程の変化に基づく交通照明システムに関わり、主に雨と霧などの視程不良の日に応用され、以下に本願発明の付図を交えて本願発明について更なる説明を行う。
【００１４】
本願発明に記載した視程の変化に基づく交通照明システムは、ランプシェード１１を含み、前記ランプシェード１１の中にはガイドスライド空間４６が設置され、前記ガイドスライド空間４６の中には測定システム１００が設置され、前記測定システム１００が視程をリアルタイムに測定でき、前記ランプシェード１１の下端には箱体４３が回転できるように連結され、前記箱体４３の中には照明システム１０１が設置され、前記照明システム１０１の中には照明灯１２が左右対称的に設置され、前記照明灯１２の光源が異なっており、左側の前記照明灯１２がＬＥＤライトであり、右側の前記照明灯１２が高圧ナトリウムランプであり、二つの前記照明灯１２が前記測定システム１００に通電できるように連結され、視程良好の時、前記測定システム１００が左側の前記照明灯１２をつけ、視程不良の時、前記測定システム１００が左側の前記照明灯１２を消し、且つ右側の前記照明灯１２をつけ、前記箱体４３の下端には円型板１６が回転できるように連結され、前記円型板１６の中には上方に開口した半円型溝４５が形成され、前記半円型溝４５の中には前記箱体４３の下端に固定的に連結された位置制限ブロックがスライドできるように装着され、前記円型板１６が前記箱体４３の回転を制限でき、前記箱体４３を零から百八十度の範囲で回転させ、前記円型板１６の下端には台座４４が固定的に連結され、前記台座４４の中には減速空間５０が設置され、前記減速空間５０の中には伝動システム１０２が設置され、前記伝動システム１０２の上端には前記照明システム１０１が設置され、前記伝動システム１０２が前記照明システム１０１を駆動できる。
【００１５】
実施例に基づき、以下に前記測定システム１００について詳しく説明し、前記測定システム１００は前記ランプシェード１１の上端に固定的に連結された視程センサー２０を含み、前記視程センサー２０が視程をリアルタイムに測定でき、前記視程センサー２０が信号を電磁継電器２１に送り、前記電磁継電器２１が前記視程センサー２０の下端に固定的に連結され、前記視程センサー２０は前記電磁継電器２１と通電できるように連結され、前記電磁継電器２１の下端が前記ガイドスライド空間４６の中に延在し、前記ガイドスライド空間４６の中には鉄ブロック２２がスライドできるように設置され、前記電磁継電器２１は前記鉄ブロック２２を吸引して左方へスライドさせることができ、前記ガイドスライド空間４６の左側内壁には固定ブロック５２が二つ固定的に連結され、前記固定ブロック５２の中には右方に開口したガイド溝５１が形成され、前記ガイド溝５１の左側内壁には圧縮ばね２８が固定的に連結され、前記圧縮ばね２８の右側にはガイドブロック２５が固定的に連結され、前記ガイドブロック２５が前記ガイド溝５１の中で左右にスライドでき、前記ガイドブロック２５が左方へスライドする時、前記圧縮ばね２８が前記ガイドブロック２５に圧縮され、弾力を生み出し、前記ガイドブロック２５の上下両端の左側には導電ブロック２６が対称的に固定的に連結され、前記ガイド溝５１の上下両側の内壁には導電シート２７が対称的に固定的に連結され、前記導電ブロック２６が前記導電シート２７と接触した時、前記照明灯１２がつけられ、前記視程センサー２０が視程の悪化を発見した時、前記電磁継電器２１の磁力は強くなり、前記視程センサー２０が視程の好転を発見した時、前記電磁継電器２１の磁力は弱くなり、前記電磁継電器２１の磁力が強くなる時、前記鉄ブロック２２を吸引して左方へスライドさせ、更に下側の前記ガイドブロック２５を押して左方へスライドさせ、更に下側の前記導電ブロック２６を前記導電シート２７と接触させ、この時に左側の前記照明灯１２がつけられ、前記鉄ブロック２２が引き続き左方へスライドし、上側の前記ガイドブロック２５を押して左方へスライドさせ、更に上側の前記導電ブロック２６を前記導電シート２７と接触させ、この時に右側の前記照明灯１２がつけられ、同時に下側の前記導電ブロック２６と前記導電シート２７とが接触しなくなり、左側の前記照明灯１２が消える。
【００１６】
有益的には、前記鉄ブロック２２の右側には固定板２４が設置され、前記固定板２４の上端が前記ガイドスライド空間４６の内壁に固定的に連結され、前記固定板２４と前記鉄ブロック２２の間には引張ばね２３が固定的に連結され、前記電磁継電器２１の磁力が強くなる時、前記鉄ブロック２２を吸引して左方へスライドさせ、前記引張ばね２３が引っ張られて弾力を生み出し、前記電磁継電器２１の磁力が弱くなる時、前記引張ばね２３が前記鉄ブロック２２を引き動かして右方へスライドさせ、前記圧縮ばね２８は前記ガイドブロック２５を押し動かして右方へスライドさせることができる。
【００１７】
実施例に基づき、以下に前記伝動システム１０２について詳しく説明し、前記伝動システム１０２は前記減速空間５０の下側内壁の中に固定的に設置されたモータ１７を含み、上側の前記導電ブロック２６が前記導電シート２７と接触した時に前記モータ１７が作動し、前記モータ１７の上端にはウォーム１９が動力が伝達できるように連結され、前記ウォーム１９の上端が前記照明システム１０１に噛み合うように連結され、前記減速空間５０の中には主動小型歯車３８が回転できるように設置され、前記主動小型歯車３８が前記ウォーム１９に固定的に連結され、前記主動小型歯車３８の左端には従動大型歯車３９が噛み合うように設置され、前記従動大型歯車３９の中には従動回転軸３６が固定的に連結され、前記従動回転軸３６の上下両端が前記減速空間５０の上下両側の内壁に回転できるように連結され、前記従動大型歯車３９の上側には従動小型歯車４０が回転できるように設置され、前記従動小型歯車４０が前記従動回転軸３６に固定的に連結され、前記従動小型歯車４０の右端には連結歯車３７が噛み合うように連結され、前記連結歯車３７の中には緩速軸１８が固定的に連結され、前記緩速軸１８の上端が前記箱体４３に固定的に連結され、前記緩速軸１８と前記円型板１６とが回転できるように連結され、前記緩速軸１８と前記ウォーム１９とが回転できるように連結され、前記測定システム１００の中の上側の前記導電ブロック２６が前記導電シート２７と接触した時、前記モータ１７が作動し、前記ウォーム１９を回転連動させ、更に前記照明システム１０１を駆動し、前記主動小型歯車３８を回転連動させ、そして前記従動大型歯車３９が駆動されて回転し、前記従動回転軸３６が駆動されて回転し、前記従動小型歯車４０が駆動されて回転し、前記連結歯車３７が駆動されて回転し、前記緩速軸１８が駆動されて回転し、前記箱体４３が駆動されて回転し、前記箱体４３が百八十度回転し、すなわち前記箱体４３が前記半円型溝４５の右端から左端まで回転して極限位置に至り、この時に前記モータ１７が止まり、前記測定システム１００の中の上側の前記導電ブロック２６と前記導電シート２７とが接触しなくなる時、前記モータ１７が逆回転し、前記箱体４３が百八十度回転し、すなわち前記箱体４３が前記半円型溝４５の左端から右端まで回転して戻り、この時に前記モータ１７が止まる。
【００１８】
実施例に基づき、以下に前記照明システム１０１について詳しく説明し、前記照明システム１０１は前記箱体４３の中に設置された空き空間４９を含み、前記ウォーム１９の上端が前記空き空間４９の中に延在し、且つ前記ウォーム１９と前記箱体４３とが回転できるように連結され、前記空き空間４９の中にはウォームホイール１４が回転できるように設置され、前記ウォームホイール１４の左端が前記ウォーム１９に噛み合われ、前記ウォームホイール１４の中には伝動軸１５が固定的に設置され、前記伝動軸１５の下端が前記空き空間４９の下側内壁に回転できるように連結され、前記伝動軸１５の上端が同期空間４７に延在し、前記同期空間４７が前記箱体４３の中に設置され、前記伝動軸１５の上端が前記同期空間４７の上側内壁に回転できるように連結され、前記同期空間４７の中には左右対称のプーリ３３が回転できるように設置され、右側の前記プーリ３３が前記伝動軸１５に固定的に連結され、左側の前記プーリ３３の中には従動軸２９が回転できるように設置され、前記従動軸２９の下端が前記プーリ３３に固定的に連結され、前記従動軸２９の上端が前記同期空間４７の上側内壁に回転できるように連結され、両側の前記プーリ３３の間には伝送ベルト３２が連結され、右側の前記プーリ３３が前記伝送ベルト３２によって左側の前記プーリ３３を回転連動させ、左右両側の前記プーリ３３を同期回転させ、前記伝送ベルト３２の後側には対称歯車３０が左右対称的に、且つ回転できるように設置され、左右両側の前記対称歯車３０がそれぞれ前記従動軸２９と前記伝動軸１５に固定的に連結され、前記箱体４３の中には収納空間４８が左右対称的に設置され、前記収納空間４８の中には中心軸線から離れた開口が設置され、前記収納空間４８の中には上下にしかスライドできないラック１３が設置され、両側の前記対称歯車３０において対称中心から離れた一端がそれぞれ両側の前記ラック１３に噛み合われており、前記ラック１３の下端にはスライダ３４が固定的に連結され、前記収納空間４８の中にはガイドスライド溝３５が前後対称的に形成され、前記ガイドスライド溝３５の開口が中心軸線に向き、前記スライダ３４が前記ガイドスライド溝３５の中で上下にスライドでき、前記箱体４３の下側内壁にはスタンド４１が固定的に連結され、前記スタンド４１の上端にはライトロッド３１がヒンジで連結され、二つの前記照明灯１２がそれぞれ両側の前記ライトロッド３１に固定的に連結され、前記ライトロッド３１の下端と前記箱体４３の下側内壁との間には復帰ばね４２が固定的に連結され、前記ウォーム１９が回転する時、前記ウォームホイール１４が駆動されて回転し、右側の前記プーリ３３と右側の前記対称歯車３０とが駆動されて回転し、右側の前記ラック１３が駆動されてスライドし、右側の前記スライダ３４が駆動されてスライドし、右側の前記プーリ３３が前記伝送ベルト３２を回転連動させ、更に前記左側の前記プーリ３３を回転連動させ、そして前記従動軸２９を回転連動させ、左側の前記対称歯車３０を回転連動させ、左側の前記ラック１３を連動させてスライドさせ、左側の前記スライダ３４を連動させてスライドさせ、前記スライダ３４が下方へスライドする時、前記ライトロッド３１が下方へ押され、そして前記ライトロッド３１が外方へ伸び、前記復帰ばね４２が圧縮されて弾力を生み出し、前記スライダ３４が上方へスライドして前記ライトロッド３１から離脱する時、前記復帰ばね４２は前記ライトロッド３１を押して内側へ収縮させることができ、前記ライトロッド３１の伸びることと収縮することを保証できる。
【００１９】
以下に図１〜８を交えて本願発明である視程の変化に基づく交通照明システムの使用手順について詳しく説明する。
【００２０】
始めに、視程が良好であり、電磁継電器２１の磁力が弱く、引張ばね２３と圧縮ばね２８とはいずれも自由状態にあり、左側の照明灯１２がＬＥＤライトであり、右側の照明灯１２が高圧ナトリウムランプであり、両側の照明灯１２がいずれも消えており、左側のラック１３とスライダ３４とは下限の位置にあり、左側のライトロッド３１が伸びた状態にあり、左側の復帰ばね４２が圧縮状態にあり、右側のラック１３とスライダ３４とは上限の位置にあり、右側のライトロッド３１が収縮状態にあり、右側の復帰ばね４２が自由状態にあり、箱体４３の下端が右限の位置にあり、モータ１７が作動していない。
【００２１】
視程センサー２０が視程の悪化を発見した時、視程センサー２０が信号をを電磁継電器２１に送り、電磁継電器２１の磁力が強くなり、鉄ブロック２２を吸引して左方へスライドさせ、更に下側のガイドブロック２５を押して左方へスライドさせ、下側の導電ブロック２６と導電シート２７とが接触した時、信号を左側の照明灯１２に送って左側の照明灯１２をつけ、鉄ブロック２２が引き続き左方へスライドし、鉄ブロック２２が上側のガイドブロック２５を押して左方へスライドさせ、上側の導電ブロック２６を導電シート２７と接触させ、この時に下側の導電ブロック２６と導電シート２７とが接触しなくなり、左側の照明灯１２が消え、右側の照明灯１２が信号を受けてつけられ、そしてモータ１７を始動し、モータ１７がウォーム１９を回転連動させ、更に主動小型歯車３８を回転連動させ、そして従動大型歯車３９が駆動されて回転し、従動回転軸３６が駆動されて回転し、従動小型歯車４０が駆動されて回転し、連結歯車３７が駆動されて回転し、緩速軸１８が駆動されて回転し、箱体４３が駆動されて回転し、ウォーム１９が回転することでウォームホイール１４を回転連動させ、更に伝動軸１５を回転連動させ、右側のプーリ３３と右側の対称歯車３０とが駆動されて回転し、伝送ベルト３２を回転連動させ、伝送ベルト３２が左側のプーリ３３と右側のプーリ３３とを連動させて同期に回転させ、そして従動軸２９を回転連動させ、更に左側の対称歯車３０を回転連動させ、左右両側の対称歯車３０が同じ方向へ同期回転し、左側の対称歯車３０が左側のラック１３を連動させて上方へスライドさせ、更に左側のスライダ３４を連動させて上方へスライドさせ、左側の復帰ばね４２が左側のライトロッド３１を押し動かして上方へ移動させ、すなわち左側のライトロッド３１は内側へ収縮し、右側の対称歯車３０が右側のラック１３を連動させて下方へスライドさせ、更に右側のスライダ３４を連動させて下方へスライドさせ、右側のライトロッド３１が押されて外方へ伸び、右側の復帰ばね４２が圧縮され、箱体４３の下端が半円型溝４５の中の右限位置から左限位置まで回転する時、モータ１７が止まり、この時に初期位置にある右側の照明灯１２が左側まで回転し、初期位置にある左側の照明灯１２が右側まで回転する。
【００２２】
視程センサー２０が視程の良好を発見した時、視程センサー２０が信号をを電磁継電器２１に送り、電磁継電器２１の磁力が弱くなり、引張ばね２３が鉄ブロック２２を引いて初期位置に戻し、圧縮ばね２８がガイドブロック２５を押して初期位置に戻し、箱体４３が半円型溝４５の右限位置に回転し、両側のライトロッド３１が初期位置に戻り、両側の照明灯１２がいずれも消え、モータ１７が止まる。
【００２３】
本願発明の有益効果は：本願発明は視程を測定することでＬＥＤライトと高圧ナトリウムランプとの取り替えを行い、視程良好の日にＬＥＤライトだけが照明に使用され、エネルギーの消耗を減らし、雨と霧などの視程不良の日になると高圧ナトリウムランプで照明し、照明の透過性を上げられ、所要の照明強度を保証する。
【００２４】
以上の方式により、本分野の技術者が本発明の範囲内に作動モードにより各種な変化をすることができる。
【要約】
【課題】本願発明は視程の変化に基づく交通照明システムを開示した。
【解決手段】
ランプシェードを含み、前記ランプシェードの中にはガイドスライド空間が設置され、前記ガイドスライド空間の中には測定システムが設置され、前記測定システムが視程をリアルタイムに測定でき、前記ランプシェードの下端には箱体が回転できるように連結され、前記箱体の中には照明システムが設置され、本願発明は視程を測定することでＬＥＤライトと高圧ナトリウムランプとの取り替えを行い、視程良好の日にＬＥＤライトだけが照明に使用され、エネルギーの消耗を減らし、雨と霧などの視程不良の日になると高圧ナトリウムランプで照明し、照明の透過性を上げられ、所要の照明強度を保証する。
【選択図】図１【図１】
0006764065.tif 000002
【図２】
0006764065.tif 000003
【図３】
0006764065.tif 000004
【図４】
0006764065.tif 000005
【図５】
0006764065.tif 000006
【図６】
0006764065.tif 000007
【図７】
0006764065.tif 000008
【図８】
0006764065.tif 000009